(57)【特許請求の範囲】
【請求項１】
ディスクを駆動するモータと、
前記モータの回転軸に直結されて回転するターンテーブルと、
前記モータを搭載したモータベースと、
前記モータベースが取り付けられる基板と、
前記基板上に第１の成形材料によって設けられ、前記モータベースを前記ターンテーブル上に載置されたディスクをその径方向に走査する光ピックアップのビームスポットの走行軌跡線を中心として振り子揺動可能に支持する揺動支持部材と、
前記基板上に前記第１の成形材料より硬度の低い第２の成形材料によって設けられ、前記揺動支持部材上に保持された前記モータベースの前記ビームスポット走行軌跡線を中心とする振り子揺動姿勢を調整する調整部材とを有することを特徴とするディスク再生装置。
【請求項２】
ディスクを駆動するモータと、
前記モータの回転軸に直結されて回転するターンテーブルと、
前記モータを搭載したモータベースと、
前記モータベースが取り付けられる基板と、
前記基板上にポリフェニレンサルファイドによって設けられ、前記モータベースを前記ターンテーブル上に載置されたディスクをその径方向に走査する光ピックアップのビームスポットの走行軌跡線を中心として振り子揺動可能に支持する揺動支持部材と、
前記基板上に設けられ、前記揺動支持部材上に保持された前記モータベースの前記ビームスポット走行軌跡線を中心とする振り子揺動姿勢を調整する調整部材とを有することを特徴とするディスク再生装置。
【請求項３】
請求項１または２記載のディスク再生装置において、
前記揺動支持部材および前記調整部材が、前記基板にアウトサート成形によって設けられていることを特徴とするディスク再生装置。
【発明の詳細な説明】
【０００１】
【発明の属する技術分野】
本発明は、ＣＤ−ＲＯＭ、ＤＶＤ（Digital Versatile Disc）、ＤＶＤ−ＲＯＭ等の光ディスクを再生するディスク再生装置に関する。
【０００２】
【従来の技術】
ＤＶＤドライブなどの高密度記録の光ディスクを再生するディスクドライブにおいては、その組立過程で、ディスク面に対して光ピックアップの光軸が直交するように調整（スキュー調整）を行う必要がある。スキュー調整はタンジェンシャル・スキューの調整とラジアル・スキューの調整とによって実施される。タンジェンシャル・スキュー調整とは、光ピックアップのディスク反射面上でのビームスポットの移動軌跡（法線）の方向から見てディスク面に対して光ピックアップの光軸を直交させるための調整であり、ラジアル・スキュー調整とは上記法線に対してディスク面上で直交する方向から見てディスク面に対して光ピックアップの光軸を直交させるための調整である。
【０００３】
このようなスキュー調整を行うための機構として、ターンテーブル直結型のディスクモータがマウントされたモータベースの姿勢をこのモータベースを搭載する基板上で調整する方式がある。この方式において、基板には少なくとも以下の調整用部品がアウトサート成形によって設けられている。
【０００４】
１．モータベースを光ピックアップのビームスポット走行軌跡線を中心として振り子揺動可能に支持し、かつビームスポット走行軌跡線に対しディスク面に沿った面において直交する線を中心として揺動可能に支持する一対の振り子揺動支持部材。
【０００５】
２．振り子揺動支持部材上に支持されたモータベースの前記ビームスポット走行軌跡線を中心とする振り子揺動姿勢を調整するタンジェンシャル調整カム。
【０００６】
３．振り子揺動支持部材上に支持されたモータベースの前記直交線を中心とする揺動姿勢を調整するラジアル調整カム。
【０００７】
また、これらのアウトサート成形部品の他に、振り子揺動支持部材上にモータベースを押しつけることによってモータベースを固定するための部品（バネとネジなど）が必要となる。
【０００８】
しかしながら、このようなスキュー調整機構においては次のような課題がある。図８に振り子揺動支持部材とモータベースとの係合部の様子を拡大して示す。同図に示すように、振り子揺動支持部材６６のモータベース６１との当接面はモータベース６１の振り子揺動の軌跡に沿った曲面となっており、モータベース６１は急勾配の傾斜面でその端部７６が支持されることになる。このため、外部から加えられた衝撃等によって振り子揺動支持部材６６上でのモータベース６１の姿勢がずれないよう、モータベース６１はバネにより振り子揺動支持部材上に大きな荷重で押しつけられている。しかし、振り子揺動支持部材６６が受けるモータベース６１からの大きな荷重によって、振り子揺動支持部材６６の受け面に変形が生じ、結果的にモータベース６１のスキュー調整完了後の姿勢ずれが生じてしまうことがある。特にこのような現象は高温環境において顕著なものとなる。
【０００９】
【発明が解決しようとする課題】
このように、スキュー調整を、モータベースの姿勢をこのモータベースを搭載する基板上で調整して行う方式においては、モータベースを直接受ける成形部材がモータベースからの荷重によって変形を起し、スキュー調整後のモータベースの姿勢が乱れる恐れがある。
【００１０】
本発明はこのような課題を解決するためのもので、モータベースを基板上で直接受ける成形部材の変形を抑止できるとともに、スキュー調整のための調整部材の操作性の劣化を伴うことのないディスク再生装置の提供を目的としている。
【００１１】
【課題を解決するための手段】
上記目的を達成するために、本発明のディスク再生装置は、ディスクを駆動するモータと、前記モータの回転軸に直結されて回転するターンテーブルと、前記モータを搭載したモータベースと、前記モータベースが取り付けられる基板と、前記基板上に第１の成形材料によって設けられ、前記モータベースを前記ターンテーブル上に載置されたディスクをその径方向に走査する光ピックアップのビームスポットの走行軌跡線を中心として振り子揺動可能に支持する揺動支持部材と、前記基板上に前記第１の成形材料より硬度の低い第２の成形材料によって設けられ、前記揺動支持部材上に保持された前記モータベースの前記ビームスポット走行軌跡線を中心とする振り子揺動姿勢を調整する調整部材とを有することを特徴とする。
【００１２】
また、本発明のディスク再生装置は、ディスクを駆動するモータと、前記モータの回転軸に直結されて回転するターンテーブルと、前記モータを搭載したモータベースと、前記モータベースが取り付けられる基板と、前記基板上にポリフェニレンサルファイドによって設けられ、前記モータベースを前記ターンテーブル上に載置されたディスクをその径方向に走査する光ピックアップのビームスポットの走行軌跡線を中心として振り子揺動可能に支持する揺動支持部材と、前記基板上に設けられ、前記揺動支持部材上に保持された前記モータベースの前記ビームスポット走行軌跡線を中心とする振り子揺動姿勢を調整する調整部材とを有することを特徴とする。
【００１３】
本発明のディスク再生装置は、このように構成したことにより、スキュー調整を、モータベースの姿勢をこのモータベースを搭載する基板上で調整することによって行うものにおいて、スキュー調整のための調整部材の回転操作性を劣化させることなく、モータベースを直接受ける成形部材がモータベースからの荷重によって変形することを抑止でき、スキュー調整後のモータベースの姿勢を安定に保てる信頼性の高いディスク再生装置を提供することができる。
【００１４】
【発明の実施の形態】
以下、本発明を実施する場合の形態について図面に基づき説明する。
【００１５】
図１、図２に示すように、この実施形態の光ディスクドライブは、例えばＤＶＤ、ＣＤ−ＲＯＭなどのディスク（図示せず）が搭載されるトレー１と、トレー１が出し入れされるメインシャーシ２と、これらを一体に収容するキャビネット（図示せず）とを有する。トレー１はメインシャーシ２に支持される部分としての突起１ａを両端部に有し、メインシャーシ２はトレー１の両端部に設けられた各突起１ａを支持しつつトレー１の搬送をガイドするための手段（図示せず）を有する。そして、トレー１は、ディスク交換を行うためメインシャーシ２から排出された図１に示す位置から、ディスク再生を行うためメインシャーシ２内に挿入された図２に示す位置との間で搬送される。
【００１６】
メインシャーシ（ドライブ本体）２内には、図３に示すようなメカユニット５が配設されている。このメカユニット５は、ディスクモータ１３、光ピックアップ１４及び光ピックアップ送り機構（ピックアップ送りモータ１０等）など、ディスクを駆動しかつ再生するための機構を搭載したメカシャーシ３と、このメカシャーシ３を複数の防振部材（ダンパー）４を介して支持するメカユニット５の基体（支持体）５１とから構成されている。
【００１７】
ディスクモータ１３のモータ軸の先頭部にはターンテーブル１６が固定されている。また、図１、図２に示すように、メインシャーシ２には、ターンテーブル１６との間でディスクを保持するためのクランパ１２を回転自在に保持するクランパホルダ１１が取り付けられている。ターンテーブル１６とクランパ１２は、少なくともその一方に装着されたマグネットの磁力によって結合される。
【００１８】
また、図４に示すように、メカユニット５は、メインシャーシ２との結合部として、２本の回転軸６と１本の昇降ガイド軸８を有する。２本の回転軸６は、メインシャーシ２に設けられた２つの軸受け部７に各々支持されている。昇降ガイド軸８は、メカユニット基体５の正面側（トレー排出方向の面）に設けられ、メカユニット５を昇降する機構の一部品である円筒カム２７の周面に設けられたガイド溝９ａに挿入および保持されている。そしてこの昇降ガイド軸８は、円筒カム２７の回転に伴い、このカム２７の周面に設けられたガイド溝９ａに沿って上下にガイドされる。これにより、メカユニット５は、円筒カム２７の回転に伴い、各回動軸６を支点として所定の角度範囲内で回動するように構成されている。
【００１９】
次に、ディスクモータのスキュー調整機構について説明する。
【００２０】
図５において、６１はディスクモータ６２が固定されているモータベース、６０はモータベース６１が支持される基板である。モータベース６１はコイルスプリング６３を介して複数の螺子６４によって基板６０上に取り付けられている。基板６０のモータベース取付位置にはディスクモータ６２のスキュー調整機構が設けられている。
【００２１】
スキュー調整機構はタンジェンシャル・スキュー調整のための２つの振り子揺動支持部６５、６６、ガイドピン６７、６８及びタンジェンシャル・スキュー調整のための偏芯ピン６９と、ラジアル・スキュー調整のための螺旋カム７０からなる。
【００２２】
モータベース６１には、個々の振り子揺動支持部６５、６６に各々当接する支持受け部７１、７２、各ガイドピン６７、６８が挿入されるモータベース位置決め用の切り欠き７３、７４、偏芯ピン６９が挿入される偏芯ピン係合穴７５、螺旋カム７０に当接するカム当接部７６が設けられている。
【００２３】
次に、タンジェンシャル・スキュー調整の詳細について図６を用いて説明する。  同図に示すように、２つの振り子揺動支持部６５、６６の断面形状は光ピックアップのビーム光のディスク面上での焦点Ｐを中心とする円弧状をなしている。振り子揺動支持部６５、６６上でのモータベース６１の移動はガイドピン６７、６８と切り欠き７３、７４によって図中Ｙ方向のみに制限されている。
【００２４】
よって、コイルスプリング６３と螺子６４でモータベース６１を基板６０に上から弾性的に押さえ付けた状態で、振り子揺動支持部６５、６６上でのモータベース６１のＹ軸方向の位置を変えることによって、図６の（ｂ）（ｃ）に示すように、モータベース６１は上記ビーム焦点Ｐを中心に振り子揺動し、これによって、法線ずれを起こすことなくタンジェンシャル・スキューの調整が行われる。振り子揺動支持部６５、６６上でのモータベース６１のＹ軸方向の位置調整は、基板６０の裏面側より偏芯ピン６９の回転位置調整部６９ａをねじ回しを用いて回転させることによって行われる。
【００２５】
次にラジアル・スキュー調整を行う。このラジアル・スキュー調整について図７を用いて説明する。螺旋カム７０は基板６０上の例えばディスク法線上の位置に設けられている。螺旋カム７０はその回転位置によってモータベース６１の端部の高さを調整できる。
【００２６】
よって、コイルスプリング６３と螺子６４でモータベース６１を基板６０に上から弾性的に押さえ付けた状態でモータベース６１の端部を上げ下げすると、モータベース全体は各振り子揺動支持部６５、６６との当接位置を支点Ｐとして翼動する。これにより、法線ずれを起こすことなくラジアル・スキューの調整を行うことができる。モータベース６１の傾斜姿勢は基板６０の裏面側より螺旋カム７０の回転位置調整部７０ａを螺子回しを用いて回転させることによって行われる。
【００２７】
以上のように構成されたスキュー調整機構において、基板６０上の振り子揺動支持部６５、６６、ガイドピン６７、６８、偏芯ピン６９および螺旋カム７０はいずれもアウトサート成形によって基板６０に一体に設けられている。
【００２８】
ここで、基板６０上の、振り子揺動支持部６５、６６以外の成形部品の成形材料には、例えばＰＯＭ（ポリアセタール）が使用されている。偏芯ピン６９や螺旋カム７０はこれらを基板６０に設けられた各取り付け孔で回転操作させることができる程度の弾性を有するものでなければならない。このような特性を満足する成形材料の一例として本実施形態ではＰＯＭ（ポリアセタール）が使用されている。
【００２９】
一方、振り子揺動支持部６５、６６の成形材料には、硬度が高く熱による硬度変化も僅かな成形材料として、例えばＰＰＳ（ポリフェニレンサルファイド）が用いられている。図８に振り子揺動支持部とモータベースとの係合の様子を示したように、振り子揺動支持部６５、６６のモータベース６１（の支持受け部７１、７２）との当接面はモータベース６１の振り子揺動の軌跡に沿った曲面であり、モータベース６１は振り子揺動支持部６５、６６における急勾配の傾斜面で両端部が支持される。そしてモータベース６１はコイルスプリング６３により振り子揺動支持部６５、６６上に一定の荷重で押しつけられている。このように大きな荷重を受ける振り子揺動支持部６５、６６だけを、例えばＰＰＳ（ポリフェニレンサルファイド）等の硬度の高い成形材料により設けることによって、この振り子揺動支持部６５、６６がモータベース６１から受ける大きな荷重による変形を防止することができ、スキュー調整ずれの発生を防止することができる。
【００３０】
なお、本実施形態では、振り子揺動支持部６５、６６の成形材料としてＰＰＳ（ポリフェニレンサルファイド）を用いたものについて説明したが、アウトサート成形が可能で高硬度の成形材料であれば、その他の種類のものを用いてもよい。  ＤＶＤ、ＤＶＤ−ＲＯＭはＣＤ、ＣＤ−ＲＯＭに比してトラックピッチが極めて稠密であり、その再生または読取りには極めて厳格なスキュー量定格が要求される。本実施形態によって、このようにより厳格なスキュー量定格を経年的に満足するディスクドライブを提供することが可能となる。
【００３１】
【発明の効果】
以上説明したように本発明によれば、スキュー調整を、モータベースの姿勢をこのモータベースを搭載する基板上で調整することによって行うものにおいて、スキュー調整のための調整部材の回転操作性を劣化させることなく、モータベースを直接受ける成形部材がモータベースからの荷重によって変形することを抑止でき、スキュー調整後のモータベースの姿勢を安定に保てる信頼性の高いディスク再生装置を提供することができる。
【図面の簡単な説明】
【図１】本発明の実施形態の光ディスクドライブのトレー排出時の外観を示す斜視図である。
【図２】本発明の実施形態の光ディスクドライブのトレー収容時の外観を示す斜視図である。
【図３】本実施形態の光ディスクドライブのメカユニットの構成を示す斜視図である。
【図４】本実施形態の光ディスクドライブの側面断面図である。
【図５】本実施形態の光ディスクドライブのスキュー調整機構の構成を示す分解斜視図である。
【図６】図５のスキュー調整機構によるタンジェンシャル・スキュー調整の方法を説明するための図である。
【図７】図５のスキュー調整機構によるラジアル・スキュー調整の方法を説明するための図である。
【図８】図５のスキュー調整機構における振り子揺動支持部とモータベースとの係合部を拡大して示す図である。
【符号の説明】
１３、６２……ディスクモータ
１４……光ピックアップ
１６……ターンテーブル
６０……基板
６１……モータベース
６３……コイルスプリング
６４……螺子
６５、６６……振り子揺動支持部
６７、６８……ガイドピン
６９……偏芯ピン
７０……螺旋カム
７１、７２……支持受け部
７３、７４……モータベース位置決め用の切り欠き
７５……偏芯ピン係合穴
７６……カム当接部
【図１】
0003739914.tif 000002
【図２】
0003739914.tif 000003
【図３】
0003739914.tif 000004
【図４】
0003739914.tif 000005
【図５】
0003739914.tif 000006
【図６】
0003739914.tif 000007
【図７】
0003739914.tif 000008
【図８】
0003739914.tif 000009